(57)【要約】      （修正有）【課題】熱源から供給される熱量が変化する場合において、安定した調湿能力を得ることができる調湿システムおよびその制御方法を提供する。【解決手段】熱源２と、吸着材３４を備え、該吸着材によって第一の空間５１から取り込んだ空気の除湿を行うとともに、第二の空間５２から取り込んだ空気を前記熱源から供給された熱によって加熱した再生用空気を、前記吸着材に接触させることで前記吸着材に吸着した水分を脱離させ、前記吸着材を再生することができる調湿装置３と、を備え、前記調湿装置は、前記吸着材に接触させる前記再生用空気の風速を制御可能であり、前記吸着材の再生に必要な熱量に対して、前記熱源から前記調湿装置に実際に供給される熱量が不足した際に、前記再生用空気の風速を低下させて、前記再生用空気の温度を維持させる制御を行うことを特徴とする調湿システム１とする。また、上記の調湿装置を用いる調湿システムの制御方法とする。【選択図】図１
2018155454.tif 000002
【特許請求の範囲】
【請求項１】
熱を発生する熱源と、
水分を吸着可能な吸着材を備え、該吸着材によって第一の空間から取り込んだ空気の除湿を行うとともに、第二の空間から取り込んだ空気を前記熱源から供給された熱によって加熱した再生用空気を、前記吸着材に接触させることで前記吸着材に吸着した水分を脱離させ、前記吸着材を再生することができる調湿装置と、を備え、
前記調湿装置は、前記吸着材に接触させる前記再生用空気の風速を制御可能であり、前記吸着材の再生に必要な熱量に対して、前記熱源から前記調湿装置に実際に供給される熱量が不足した際に、前記再生用空気の風速を低下させて、前記再生用空気の温度を目標値に維持または近接させる制御を行うことを特徴とする調湿システム。
【請求項２】
前記調湿装置は、回転可能なロータを有し、
前記吸着材は、複数の部分を有し、前記ロータの回転に同期して、前記吸着材の各部分における前記第一の空間から取り込んだ空気の除湿と前記再生用空気による再生を繰り返し、
前記調湿装置は、前記再生用空気の前記風速を変更する際に、該風速に比例させて、前記ロータの回転数を変化させることを特徴とする請求項１に記載の調湿システム。
【請求項３】
前記ロータの回転数を変更する際の該回転数と前記風速の間の比例関係は、前記調湿装置における除湿量が最大となる前記ロータの回転数を、前記風速の関数として一次近似したものとして、予め定められていることを特徴とする請求項２に記載の調湿システム。
【請求項４】
前記熱源は、コジェネレーション装置とすることを特徴とする請求項１から３のいずれか１項に記載の調湿システム。
【請求項５】
前記コジェネレーション装置は、燃料電池を備え、前記燃料電池から供給される熱量を前記調湿装置に供給するように構成されていることを特徴とする請求項４に記載の調湿システム。
【請求項６】
請求項１から請求項５に記載の調湿装置を用いる調湿システムの制御方法において、
前記調湿システムの制御方法は、
事前の実験によって、前記調湿装置における除湿量が最大となる前記ロータの回転数を、前記再生用空気の前記風速の関数として見積もり、一次近似しておき、
前記再生用空気の前記風速を変更する際に、該一次近似の結果を用いて、該風速に比例させて、前記ロータの回転数を変化させることを特徴とする調湿システムの制御方法。
【発明の詳細な説明】
【技術分野】
【０００１】
本発明は、調湿システムおよびその制御方法に関し、さらに詳しくは、熱源と、調湿装置とを備える調湿システムおよびその制御方法に関する。
【背景技術】
【０００２】
例えば、特許文献１に、調湿システムが開示されている。特許文献１は、デシカント空調の制御方法に関するものである。具体的には、回転ロータの回転速度を変化させて吸湿量と放湿量とを調節するものである。
【先行技術文献】
【特許文献】
【０００３】
【特許文献１】特開２００５−３３４９号公報
【発明の概要】
【発明が解決しようとする課題】
【０００４】
特許文献１に記載されるような調湿装置においては、他装置から供給される熱量などを再生熱源にして、除湿用の吸着材を再生し、吸着材を繰り返して使用する。また、調湿装置は、室外に設置されると共に吸着材を備えて第１の室外空気からの吸湿と第２の室外空気に対する放湿とを行う調湿部と、調湿部の吸着材を再生するために第２の室外空気を他装置が出力する温熱により加熱して調湿部へ供給する加熱部とを備え、吸湿された吸着材は、他装置が出力する温熱により加熱されて放湿することにより、吸着材は再生する。調湿装置の設計は、他装置から供給される熱量などの再生熱源は十分にあることを前提としており、実使用において再生熱源が不足した場合、調湿装置は、除湿量が再生熱源の状態によって変化し、再生熱源から供給される熱量が小さいほど除湿量が少なくなっていく。熱源に燃料電池などを活用する場合、ユーザーの電力需要により燃料電池の発電出力が低下して、それに伴い供給される熱量も変化することから、上記調湿装置の能力低下が懸念される。以上を踏まえ、燃料電池から供給される熱量などを活用した熱源と調湿装置を組み合わせるシステムにおいて、熱源から供給される熱量が変化した場合にも安定した空調能力を得るための調湿装置が必要である。
【０００５】
本発明が解決しようとする課題は、熱源から供給される熱量が変化する場合において、安定した調湿能力を得ることができる調湿システムおよびその制御方法を提供することにある。
【課題を解決するための手段】
【０００６】
上記課題を解決するために、熱を発生する熱源と、水分を吸着可能な吸着材を備え、該吸着材によって第一の空間から取り込んだ空気の除湿を行うとともに、第二の空間から取り込んだ空気を前記熱源から供給された熱によって加熱した再生用空気を、前記吸着材に接触させることで前記吸着材に吸着した水分を脱離させ、前記吸着材を再生することができる調湿装置と、を備え、前記調湿装置は、前記吸着材に接触させる前記再生用空気の風速を制御可能であり、前記吸着材の再生に必要な熱量に対して、前記熱源から前記調湿装置に実際に供給される熱量が不足した際に、前記再生用空気の風速を低下させて、前記再生用空気の温度を維持させる制御を行うことを要旨とする。
【０００７】
ここで、前記調湿装置は、回転可能なロータを有し、前記吸着材は、複数の部分を有し、前記ロータの回転に同期して、前記吸着材の各部分における前記第一の空間から取り込んだ空気の除湿と前記再生用空気による再生を繰り返し、前記調湿装置は、前記再生用空気の前記風速を変更する際に、該風速に比例させて、前記ロータの回転数を変化させるとよい。
【０００８】
また、前記ロータの回転数を変更する際の該回転数と前記風速の間の比例関係は、前記調湿装置における除湿量が最大となる前記ロータの回転数を、前記風速の関数として一次近似したものとして、予め定められているとよい。
【０００９】
また、前記熱源は、コジェネレーション装置とするとよい。
【００１０】
また、前記コジェネレーション装置は、燃料電池を備え、前記燃料電池から供給される熱量を調湿装置に供給するように構成されているとよい。
【００１１】
また、上記に記載の調湿装置を用いる調湿システムの制御方法において、前記調湿システムの制御方法は、事前の実験によって、前記調湿装置における除湿量が最大となる前記ロータの回転数を、前記再生用空気の前記風速の関数として見積もり、一次近似しておき、前記再生用空気の前記風速を変更する際に、該一次近似の結果を用いて、該風速に比例させて、前記ロータの回転数を変化させるとよい。
【発明の効果】
【００１２】
上記発明にかかる調湿システムにおいて、調湿装置は、吸着材に接触させる再生用空気の風速を制御可能であり、吸着材の再生に必要な熱量に対して、熱源から調湿装置に実際に供給される熱量が不足した際に、再生用空気の風速を低下させて、再生用空気の温度を維持させる制御を行うものである。そのため、調湿装置は、熱源から供給される熱量が不足する場合においても、熱源から供給される熱量が十分にある場合に吸着材の再生に必要な熱量に応じて設定される再生用空気の温度に維持させる制御を行うことができる。したがって、調湿装置は、熱源から供給される熱量が不足する場合において、熱源から供給される熱量が十分にある場合と比べて、空調能力の低下を抑制することができるため、安定した空調能力を得ることができる。
【００１３】
ここで、調湿装置は、回転可能なロータを有し、吸着材は、複数の部分を有し、ロータの回転に同期して、吸着材の各部分における第一の空間から取り込んだ空気の除湿と再生用空気による再生を繰り返し、調湿装置は、再生用空気の風速を変更する際に、該風速に比例させて、ロータの回転数を変化させる場合には、再生用空気の風速のみを変更する場合と比べて、ロータの回転数も変化させることで、高い除湿能力を得ることができる。
【００１４】
また、ロータの回転数を変更する際の該回転数と風速の間の比例関係は、調湿装置における除湿量が最大となるロータの回転数を、風速の関数として一次近似したものとして、予め定められている場合には、再生用空気の変更する風速に対して第一の空間から取り込んだ空気の除湿量が最大となるように、最適なロータの回転数を設定できる。そのため、調湿装置は、熱源から調湿装置に供給される熱量が不足した場合でも、第一の空間から取り込んだ空気の除湿量が最大となる条件で、運転することができる。また、予め定められている比例関係に基いてロータの回転数を変更することにより、熱源から調湿装置に供給される熱量が不足する都度、自動的にロータの回転数を設定できるので、調湿装置を簡便に制御できる。
【００１５】
また、熱源は、コジェネレーション装置とする場合には、コジェネレーション装置から供給される熱量を、調湿装置に供給し、調湿装置の運転に利用することができる。そのため、コジェネレーション装置から供給される熱量を有効利用することができる。
【００１６】
また、コジェネレーション装置は、燃料電池を備え、前記燃料電池から供給される熱量を調湿装置に供給するように構成されている場合には、燃料電池で発電を行ってその際に発生する熱を活用することができる。また、住宅、商業施設等で、電力と空調の両方の需要に活用することができる。
【００１７】
また、上記に記載の調湿装置を用いる調湿システムの制御方法において、調湿システムの制御方法は、事前の実験によって、調湿装置における除湿量が最大となるロータの回転数を、再生用空気の風速の関数として見積もり、一次近似しておき、再生用空気の風速を変更する際に、該一次近似の結果を用いて、該風速に比例させて、ロータの回転数を変化させる場合には、再生用空気の変更する風速に比例させて、第一の空間から取り込んだ空気の除湿量が最大となるように、最適なロータの回転数を変化させる制御ができる。そのため、調湿装置は、熱源から調湿装置に供給される熱量が不足した場合でも、第一の空間から取り込んだ空気の除湿量が最大となる条件で、制御することができる。また、事前の実験によって、第一の空間から取り込んだ空気の除湿量が最大となるロータの回転数を、再生用空気の風速の関数として見積もり、一次近似した結果を用いて、ロータの回転数を変化させることにより、熱源から調湿装置に供給される熱量が不足する都度、自動的にロータの回転数を変化させる制御ができるので、調湿装置を簡便に制御できる。
【図面の簡単な説明】
【００１８】
【図１】本発明の一実施形態にかかる調湿システムの全体構成図である。
【図２】実施例の調湿システムの実験装置の概略図である。
【図３】実施例の調湿システムの実験結果１を示す図である。
【図４】実施例の調湿システムの実験結果２を示す図である。
【発明を実施するための形態】
【００１９】
以下に、本発明の一実施形態にかかる調湿システムについて、図面を参照しながら説明する。図１に、本発明の一実施形態にかかる調湿システム１の全体構成を示す。本発明の一実施形態にかかる調湿システム１は、燃料電池２２を備える熱源であるコジェネレーション装置２と調湿装置３とにより構成される。
【００２０】
［コジェネレーション装置の構成］
コジェネレーション装置２は、図１に示すように、改質部２１と、燃料電池２２と、ポンプ２６を備えている。
【００２１】
改質部２１には、燃料である都市ガスが供給される。改質部２１は、メタン等の炭化水素を改質して水素を主成分とする改質ガスを生成させるように構成されている。改質部２１で生成された改質ガスは、燃料電池２２へ送られる。また、燃料電池２２へは、空気が供給される。そして、燃料電池２２は、改質ガス中の水素を燃料として空気中の酸素を酸化剤とする電池反応を行い、得られた電力を出力する。燃料電池２２は、その排熱により水を加熱することで温水を生成する。また、ポンプ２６は、生成された温水を、後に説明する調湿装置３の加熱器３５へと送り込む役割をし、この際に、送り込む温水の流量調整を行うことができる。なお、燃料電池２２には、固体電解質型の燃料電池が使用されている。
【００２２】
また、コジェネレーション装置２には、燃料電池２２の排熱で生成された温水を排出するための温水管２３、および温水を回収するための回収管２４が設けられている。この温水管２３および回収管２４は、後に説明する調湿装置３の加熱器３５に接続されている。
【００２３】
また、熱源を、コジェネレーション装置２とすることができれば、どのような熱源を用いてもよいが、コジェネレーション装置２を熱源として用いることで、コジェネレーション装置２から供給される熱量を、調湿装置３の再生用空気を加熱する熱源として活用することができる。
【００２４】
また、コジェネレーション装置２が、燃料電池２２を備え、燃料電池２２から供給される熱量を調湿装置３に供給するように構成されている場合には、燃料電池２２で発電を行ってその際に発生する熱を活用できる。
【００２５】
［調湿装置の構成］
調湿装置３は、図１に示すように、ケース内に、調湿部３３と、加熱手段である加熱器３５と、制御部３６とが収納されている。また、調湿部３３は、回転可能な機構を備えるロータである回転ロータ３４を備えている。
【００２６】
ケース内に、第一通路３１および第二通路３２の区画が形成されている。第一通路３１にはファン６１、第二通路３２には、ファン６２が設けられている。ファン６１を運転することにより、第一通路３１では第二の空間である室内５２から取り込んだ空気である室内還気ＲＡが流通して、ファン６１、加熱器３５、回転ロータ３４を通った後、室外５１へ排出される排気ＥＡになる。また、ファン６２を運転することにより、第二通路３２では第一の空間である室外５１から取り込んだ空気である外気ＯＡが流通して、ファン６２、回転ロータ３４を通った後、室内５２に供給される給気ＳＡになる。ここで、室内還気ＲＡは加熱器３５で加熱されて再生用空気として吸着材４０の再生に利用される。
【００２７】
回転ロータ３４は、ハニカム状に形成されていて、モータ３７により回転駆動する。また、ハニカム状の表面には、水分を吸着可能な吸着材４０が担持されていて、回転ロータ３４の厚さ方向に空気が通過可能となっている。また、吸着材４０としては、活性炭、活性アルミナ、シリカゲル、ゼオライト等が使用される。また、吸着材４０は、第一通路３１を横断する部分と、第二通路３２を横断する部分とを有し、回転ロータ３４の無段階の回転に同期して、一部の部位が第一通路３１を横断するとともに、別の部位が第二通路３２を横断する状態で回転することにより、吸着材４０の各部分における除湿と再生を繰り返す。このとき、吸着材４０は、第二通路３２を横断する部分では、室外５１から取り込んだ外気ＯＡと接触し、外気ＯＡの水分の除去を行う。また、吸着材４０は、第一通路３１を横断する部分では、室内５２から流入した室内還気ＲＡが、加熱器３５により加熱されて再生用空気となって接触し、すでに水分が吸着した吸着材４０から水分の脱離を行う。これにより、除湿された空気の第一の空間である室外５１から第二の空間である室内５２への供給を連続的に行うことができる。このように、吸着材４０の除湿と再生を繰り返すことで、長期にわたり吸着材４０を使用することができる。
【００２８】
加熱器３５は、第一通路３１における回転ロータ３４の上流側に設けられている。加熱器３５は、室内５２から取り込んだ室内還気ＲＡを加熱するためのものであって、コジェネレーション装置２の温水管２３および回収管２４に接続されている。温水管２３には、コジェネレーション装置２内の燃料電池２２の排熱により生成される温水が流される。加熱器３５は、温水管２３から供給された温水で室内５２から取り込んだ室内還気ＲＡを非接触の状態で加熱するように構成されている。また、加熱器３５に供給された温水は、室内還気ＲＡを加熱する役割に使用された後、回収管２４によりコジェネレーション装置２内に回収される。
【００２９】
制御部３６は、ポンプ２６を制御することで、第一通路３１に供給される室内還気ＲＡの温度を制御することができる。つまり、制御部３６は、ポンプ２６により温水の流量を調整することにより、吸着材４０に接触させる室内還気ＲＡの温度を調整可能である。
【００３０】
また、制御部３６は、回転ロータ３４を回転させるためのモータ３７の回転速度を制御する。また、回転ロータ３４は、その回転速度が調整可能に構成されており、回転ロータ３４の回転速度を調整すると、回転ロータ３４の各部の吸着材４０が、第一通路３１および第二通路３２それぞれに滞在する時間が変化する。そのため、吸着材４０の各部における室外５１から取り込んだ外気ＯＡの除湿量および室内５２から流入した室内還気ＲＡの放湿量が変化する。ここで、除湿量とは、水分の吸着量であり、放湿量とは、水分の脱離量である。
【００３１】
また、制御部３６は、第一通路３１のファン６１を制御することで、第一通路３１に供給される室内還気ＲＡの風量を制御することができる。また、第二通路３２のファン６２を制御することで、第二通路３２に供給される外気ＯＡの風量を制御することができる。つまり、制御部３６は、ファン６１の回転数を調整することにより、吸着材４０に接触させる室内還気ＲＡの風速を調整可能である。また、ファン６２の回転数を調整することにより、吸着材４０での除湿に供する外気ＯＡの風速を調整可能である。
【００３２】
本実施形態においては、温水管２３を介してコジェネレーション装置２から供給される温水によって、室内還気ＲＡの温度が、吸着材４０の再生に必要な熱量に応じて設定される温度に加熱されるように、温水の熱量に応じて、ファン６１により室内還気ＲＡの風速を調整する。
【００３３】
以上のように、調湿装置３においては、制御部３６によって、調湿部３３の吸着材４０の再生に用いる室内還気ＲＡの風速および温度を制御することができる。調湿装置３の運転に際して、外気ＯＡに対して所望される除湿量に応じて、室内還気ＲＡに対して要求される放湿量が定まる。そして、その放湿量を達成するために必要となる室内還気ＲＡの風速および温度が、制御部３６において、吸着材４０の再生に必要な熱量に応じて設定される。次に説明するように、その風速および温度を達成するのに十分な熱量がコジェネレーション装置２から供給される場合には、通常モードでの運転が行われ、室内還気ＲＡの風速および温度を吸着材４０の再生に必要な熱量に維持する制御が行われる。一方、室内還気ＲＡに対して吸着材４０の再生に必要な熱量がコジェネレーション装置２から供給されないときには、室内還気ＲＡの温度、あるいは風速のどちらかは低下させる必要がある。室内還気ＲＡの風速を低下させて、室内還気ＲＡの温度を維持させる再生用空気温度維持モードおよび室内還気ＲＡの温度を低下させて、室内還気ＲＡの風速を維持させる再生用空気風量維持モードの運転が可能であるが、本実施形態においては、それらのうち、再生用空気温度維持モードでの運転を行い、室内還気ＲＡの風速を低下させて、室内還気ＲＡの温度を維持させる制御を行う。
【００３４】
なお、上記実施形態においては、室内還気ＲＡは加熱器３５で加熱されて吸着材４０を再生した後、排気ＥＡになり、外気ＯＡは吸着材４０で除湿された後、給気ＳＡになり室内５２の空気を除湿する形態であるが、室内還気ＲＡは加熱器３５で加熱されて吸着材４０を再生した後、給気ＳＡになり室内５２の空気を加湿して、外気ＯＡは吸着材４０で除湿された後、排気ＥＡになる形態も採用できる。また、外気ＯＡが加熱器３５で加熱されて吸着材４０を再生した後、排気ＥＡになり、室内還気ＲＡが吸着材４０で除湿された後、給気ＳＡになり室内５２の空気を除湿する形態も採用できる。また、外気ＯＡが加熱器３５で加熱されて吸着材４０を再生した後、給気ＳＡになり室内５２の空気を加湿して、室内還気ＲＡが吸着材４０で除湿された後、排気ＥＡになる形態も採用できる。さらにまた、上記の複数の形態を、共通の装置を使用して切り換えて運転することもできる。
【００３５】
［運転モード］
（通常時）
調湿装置３の運転モードについて説明する。まず、吸着材４０の再生に必要な熱量に対して、コジェネレーション装置２から調湿装置３に供給される温水の熱量が充足している通常時の運転モードについて説明する。
【００３６】
最初に、第二通路３２に設けられているファン６２を運転することにより、外気ＯＡが第二通路３２に流通して回転ロータ３４を横断する。回転ロータ３４を横断する外気ＯＡは、回転ロータ３４の表面に担持された水分を吸着可能な吸着材４０により、水分が除去される。吸着材４０により除湿された外気ＯＡは、給気ＳＡとして室内５２に流入する。
【００３７】
また、同時に、第一通路３１に設けられているファン６１を運転することにより、室内５２から取り込んだ室内還気ＲＡが、第一通路３１に流通する。室内還気ＲＡは、ファン６１により風速が制御されて、コジェネレーション装置２の温水を利用した加熱器３５にて加熱され、回転ロータ３４を横断する。回転ロータ３４を横断する室内還気ＲＡは、すでに外気ＯＡの除湿に利用され、吸湿されている吸着材４０を加熱して、吸着材４０に吸着した水分は脱離されて、吸着材４０は再生し、脱離された水分を含む室内還気ＲＡは、排気ＥＡとして室外５１へ排出される。
【００３８】
このとき、ファン６１を運転することにより、第一通路３１に流通する室内還気ＲＡの風速が、吸着材４０の再生に必要な熱量に応じた値に制御される。また、ファン６２を運転することにより、第二通路３２に流通する外気ＯＡの風速が、吸着材４０による新たに水分を吸着する能力および／または所望される給気ＳＡの風速に応じて調整される。
【００３９】
また、ファン６１の回転数を大きくすると、室内還気ＲＡの風速が大きくなる。この場合、単位時間当たりの吸着材４０の放湿量が増加する。そのため、第二通路３２に流通する外気ＯＡの除湿量が大きくなる。
【００４０】
一方、ファン６１の回転数を小さくすると、室内還気ＲＡの風速が小さくなる。この場合、単位時間当たりの吸着材４０の放湿量が減少する。そのため、第二通路３２に流通する外気ＯＡの除湿量が小さくなる。
【００４１】
また、ポンプ２６により温水の流量を大きくすると、コジェネレーション装置２から加熱器３５に実際に供給される温水の熱量が増加して室内還気ＲＡの温度が高くなる。この場合、単位時間当たりの吸着材４０の放湿量が増加する。そのため、第二通路３２に流通する外気ＯＡの除湿量が大きくなる。
【００４２】
一方、ポンプ２６により温水の流量を小さくすると、コジェネレーション装置２から加熱器３５に実際に供給される温水の熱量が減少して室内還気ＲＡの温度が低くなる。この場合、単位時間当たりの吸着材４０の放湿量が減少する。そのため、第二通路３２に流通する外気ＯＡの除湿量が小さくなる。
【００４３】
このように、ファン６１の回転数により室内還気ＲＡの風量を制御するおよび／またはポンプ２６により温水の流量を制御することにより、室内還気ＲＡの風速および温度が定められ、温水管２３を介してコジェネレーション装置２から供給される温水の熱量が一定であれば、その風速の室内還気ＲＡが温水によって加熱される温度が定まる。コジェネレーション装置２から実際に供給される温水の熱量が、外気ＯＡにおいて所望される除湿量を与えられる状態まで吸着材４０を再生するために必要な熱量を充足している場合には、ファン６１の回転数により室内還気ＲＡの風量を制御するおよび／またはポンプ２６により温水の流量を制御して、室内還気ＲＡの風速および温度がその必要な熱量に達するように、ファン６１の回転数により室内還気ＲＡの風量を制御するおよび／またはポンプ２６により温水の流量を設定すればよい。また、ユーザーによる設定変更等によって、外気ＯＡにおいて所望される除湿量が変化した場合にも、その所望される除湿量に対応する熱量を充足する室内還気ＲＡの風速および温度が得られるように、ファン６１の回転数により室内還気ＲＡの風量を制御するおよび／またはポンプ２６により温水の流量を新たに設定し、変更すればよい。
【００４４】
外気ＯＡの除湿量を制御するに際し、このような室内還気ＲＡの風速および温度の変更に加え、回転ロータ３４の回転数も変更することができる。回転ロータ３４の回転数を変更すると、室内還気ＲＡおよび外気ＯＡの吸着材４０との単位時間当たりの接触量が変化するので、外気ＯＡにおける除湿量が変化する。例えば、次に説明する再生用空気温度維持モードでの運転において、室内還気ＲＡの風速に比例させて回転ロータ３４の回転数を変更し、その風速での除湿量を最大にしているのと同様の制御を、通常モードにおいて行ってもよい。
【００４５】
通常時は、このようにして、吸着材４０の再生に必要な熱量に対して、吸着材４０に接触させる加熱器３５にて加熱された室内還気ＲＡの熱量が充足した状態で、空調能力を得ることができ、室内還気ＲＡの風速および温度は、吸着材４０の再生に必要な熱量に応じて設定される風速および温度に維持される。
【００４６】
（再生用空気温度維持モード）
次に、吸着材４０の再生に必要な熱量に対して、コジェネレーション装置２から調湿装置３に供給される温水の熱量が不足した際に、室内還気ＲＡの風速を低下させて、室内還気ＲＡの温度を維持させる制御を行う運転モードについて説明する。なお、この運転モードを、再生用空気温度維持モードとする。
【００４７】
ユーザーの電力需要により燃料電池２２の発電出力が低下して、コジェネレーション装置２内の燃料電池２２の排熱から生成される温水の熱量が低下した場合、加熱器３５により加熱された室内還気ＲＡは、通常時に比べて、熱量が吸着材４０の再生に必要な熱量に対して不足した状態となる。
【００４８】
このとき、ファン６１の出力を低下させて、加熱器３５により加熱された室内還気ＲＡが回転ロータ３４を横断するときの風速を、低下させる。また、さらに吸着材４０の除湿量が最大となるように予め定めた回転ロータ３４の回転数と室内還気ＲＡの風速との正の比例関係を用いて、その時の室内還気ＲＡの風速に応じた回転ロータ３４の回転数を設定することもできる。ここで、通常モードにおいてコジェネレーション装置２から供給される熱量が吸着材４０の再生に必要な熱量に対して十分である場合に、ファン６１の回転数制御によって得られる室内還気ＲＡの風速および温度を、基準の風速Ｒ０、基準の温度Ｔ０に設定する。
【００４９】
調湿装置３を、変化させた室内還気ＲＡの風速に従って運転することにより、室内還気ＲＡの温度は、上記温度Ｔ０に維持するように制御を行う。換言すると、室内還気ＲＡの風速を上記風速Ｒ０から低下させることで、その風速の低下した室内還気ＲＡに対して室内還気ＲＡの温度を上記温度Ｔ０に維持または近接できるように制御する。この際、後述するような回転ロータ３４の回転数制御を合わせて行ってもよい。
【００５０】
調湿装置３は、コジェネレーション装置２から調湿装置３に供給される熱量が不足した場合、室内還気ＲＡの温度、あるいは風速のどちらかは低下させる必要があるが、本実施形態にかかる調湿システム１においては、再生用空気温度維持モードにより、風速の維持を犠牲にして、温度維持を優先させる。
【００５１】
本実施形態にかかる調湿システム１においては、調湿装置３は、吸着材４０の再生に必要な熱量に対して、コジェネレーション装置２から調湿装置３に実際に供給される熱量が不足した際に、後に示す再生用空気風量維持モードではなく、再生用空気温度維持モードでの運転を行うものである。再生用空気温度維持モードにおいては、コジェネレーション装置２から供給される熱量が不足する場合においても、室内還気ＲＡの温度を、供給される熱量が十分にある場合の吸着材４０の再生に必要な熱量に応じて設定される基準の温度Ｔ０に維持させることにより、後の実施例に示すように、再生用空気風量維持モードを採用する場合と比較して、外気ＯＡに対する除湿量の低下による空調能力の低下を抑制することができる。その結果、安定した空調能力を得ることができる。
【００５２】
（再生用空気風量維持モード）
再生用空気温度維持モードに対して、別の運転モードとして、吸着材４０の再生に必要な熱量に対して、コジェネレーション装置２から調湿装置３に供給される熱量が不足した際に、室内還気ＲＡの温度を基準の温度Ｔ０から低下させて、室内還気ＲＡの風速を基準の風速Ｒ０に維持させる制御を行う運転モードが想定される。この運転モードを、再生用空気風量維持モードとする。換言すると、再生用空気風量維持モードは、調湿装置３を、変化させた室内還気ＲＡの温度で運転することにより、室内還気ＲＡの風速は、吸着材４０の再生に必要な熱量に応じて設定される基準の風速Ｒ０に維持するものである。
【００５３】
再生用空気風量維持モードは、室内還気ＲＡの温度を調整可能な手段が必要であり、その手段として、加熱器３５へ送り込まれる温水の熱量を調整可能な手段を採用することができる。具体的には、コジェネレーション装置２内のポンプ２６により、加熱器３５へ送り込まれる温水の流量を調整する。これにより、室内還気ＲＡの温度を吸着材４０の再生に必要な熱量に応じて設定される温度から低下させる制御によって、室内還気ＲＡの風速を吸着材４０の再生に必要な熱量に応じて設定される風速に維持させることが可能となる。
【００５４】
再生用空気温度維持モードにおいて、再生用空気風量維持モードよりも外気ＯＡに対する除湿量の低下を抑えることができる理由としては、以下のような機構が推定される。つまり、空気の温度および湿度によって規定される空気線図上において、吸着材４０を再生する室内還気ＲＡの温度が高いほうが、除湿限界がより低くなる。そして、吸着材４０によって除湿される外気ＯＡの状態が除湿限界に対して余裕をもった状態となり、吸着材４０によって外気ＯＡを除湿する推進力が大きくなる。このように、吸着材４０に接触させる室内還気ＲＡの温度を高くすることで、吸着材４０に単位時間当たりに接触する室内還気ＲＡの風量を減少させたとしても、除湿限界に対して余裕のある状態で外気ＯＡの除湿を行えることの効果により、吸着材４０の除湿および水分の脱離能力の低下を抑制することができると推測される。
【００５５】
［回転ロータの回転数制御］
本実施形態の調湿装置３は、室内還気ＲＡの風速を変更する際に、同時に回転ロータ３４の回転数を変更するものであり、室内還気ＲＡの変更する風速に対して室外５１から取り込んだ外気ＯＡの除湿量が最大となるように、最適な回転ロータ３４の回転数を設定している。このような回転ロータ３４の回転数の変更を伴わずに、再生用空気温度維持モードの実行によって室内還気ＲＡの風速を変更するだけでも、上記のように、コジェネレーション装置２から調湿装置３に供給される熱量が不足した場合の室外５１から取り込んだ外気ＯＡの除湿量がコジェネレーション装置２から調湿装置３に供給される熱量が充足した場合に比べて低下するのを再生用空気風量維持モードの場合よりも高度に抑制するという効果を発揮することができる。しかし、回転ロータ３４の回転数の変更を室内還気ＲＡの風速の変更と合わせて行うことで、除湿量低下抑制の効果を一層高めることができる。
【００５６】
後の実施例において発明者らが明らかにしたように、室内還気ＲＡの温度を一定として回転ロータ３４の回転数を変化させると、吸着材４０による外気ＯＡの除湿量が変化する（図３参照）。また、吸着材４０の除湿量が最大となる回転ロータ３４の回転数は、室内還気ＲＡの風速によって異なり、吸着材４０の除湿量が最大となる回転ロータ３４の回転数と室内還気ＲＡの風速との間に、正の比例関係がある。そのような比例関係を利用して、室内還気ＲＡの風速を変更した際に、回転ロータ３４の回転数を変更すればよい。
【００５７】
そのような比例関係は、調湿システム１の運転に先立って、予め定めておくことができる。そして、コジェネレーション装置２から調湿装置３に供給される熱量が不足した場合に、再生用空気温度維持モードにおいて室内還気ＲＡの風速を変更するとともに、予め定められている比例関係に基いて、回転ロータ３４の回転数を変更すればよい。このように、室内還気ＲＡの風速と、回転ロータ３４の回転数という２つのパラメータを同時に設定することで、室外５１から取り込んだ外気ＯＡの除湿量が最大となるように、調湿装置３を運転することができる。特に、室内還気ＲＡと回転ロータ３４の回転数の間の比例関係（比例係数）を予め定めて利用することで、コジェネレーション装置２から調湿装置３に供給される熱量が不足する都度、室外５１から取り込んだ外気ＯＡの除湿量が最大となる回転ロータ３４の回転数を見積もる必要がなく、調湿装置３を簡便に制御できる。
【００５８】
実際に、室内還気ＲＡと回転ロータ３４の回転数の間の比例関係を見積もる方法の一例を説明する。なお、この方法は、後の実施例において採用している試験方法と同様である。まず、加熱器３５により加熱された再生用空気である室内還気ＲＡの温度を、吸着材４０の再生に必要な熱量に応じて設定される温度に維持する。また、第一通路３１に流通する室内還気ＲＡ、および第二通路３２に流通する外気ＯＡの風速を一定速度に維持する。この状態において、回転ロータ３４の回転数を変化させて、吸着材４０の除湿量が最大となるときの回転ロータ３４の回転数を見積もる。
【００５９】
以上の手順により、室内還気ＲＡの風速と、その風速において除湿量最大となる回転ロータ３４の回転数の組を複数得ることができる。この複数組のデータを利用して、回転ロータ３４の回転数と室内還気ＲＡの風速の比例関係を見積もることができる。このようにして、吸着材４０の除湿量が最大となる回転ロータ３４の回転数と室内還気ＲＡの風速との比例関係が予め定められる。なお、比例関係の設定方法は、例えば、縦軸に回転ロータ３４の回転数、横軸に室内還気ＲＡの風速をプロットして、吸着材４０の除湿量が最大となる回転ロータ３４の回転数を、室内還気ＲＡの風速の関数として一次近似したものとして、定めることができる。ここで、関係性を定める関数としては、一次近似による比例関係に限定されることなく、任意の関数を使用できる。例えば、単調増加の領域において、二次近似、三次近似等の高次近似も使用できる。
【００６０】
以上のような回転ロータ３４の回転数制御は、再生用空気温度維持モードにおいて室内還気ＲＡの風速制御と併用することが好ましい。また、通常モードにも同様に適用してもよい。また、通常モードと再生用空気温度維持モードとをコジェネレーション装置２から供給される熱量に応じて実行する制御は、従来一般のデシカント空調に対しても行うことができる。従来一般のデシカント空調において、室内還気ＲＡの風速の制御を上記各モードに従って行うように、制御部３６の設定を行えばよい。また、回転ロータ３４の回転数を室内還気ＲＡの風速に伴って変更させるには、それらの間の比例関係を見積もる試験を事前に行って、制御部３６に記憶させておけばよい。
【００６１】
試験においては、加熱器３５に温水を供給する。この状態において、吸着材４０の再生に必要な熱量に応じて設定される室内還気ＲＡの温度を維持できるように、室内還気ＲＡの風速を変化させる。次に、そのときの室内還気ＲＡの温度を維持したまま、回転ロータ３４の回転数を変化させて、吸着材４０の除湿量が最大となるときの回転ロータ３４の回転数を見積もる。
【００６２】
次に、上記の温水の熱量（供給量）を変化させ、加熱器３５に供給する。変化した各熱量の状態において、上記と同様の手順により、室内還気ＲＡの温度を、吸着材４０の再生に必要な熱量に応じて設定される温度に維持できる室内還気ＲＡの風速と、その風速において吸着材４０の除湿量が最大となる回転ロータ３４の回転数を設定する。これにより、室内還気ＲＡの風速と、その風速において吸着材４０の除湿量が最大となる回転ロータ３４の回転数の間の比例関係を見積もる。なお、試験は、後の実施例に示すようなデシカント空調装置をモデル化した実験装置を用いて行ってもよい。
【実施例】
【００６３】
以下、実施例を用いて本発明をより具体的に説明する。図２に、実施例の調湿システムの実験装置の概略図、図３に、実施例の調湿システムの実験結果１、図４に、実施例の調湿システムの実験結果２を示す。
【００６４】
実験は、再生用空気である室内還気ＲＡを加熱する熱量が低下したとき、室内還気ＲＡの温度、風速、および回転ロータ３４０を変化させて、室外５１から取り込んだ外気ＯＡの除湿量の変化を検証するために実施した。また、実験は、デシカント空調装置をモデル化した実験装置を使用した。そのため、室内５２および室外５１は、実際の調湿装置を想定したものであり、室内および室外の空気を実際に用いているわけではない。
【００６５】
［実験装置］
実験装置３０は、図２に示すように、ケース内に、第一通路３１０および第二通路３２０の区画が形成されている。第一通路３１０は、室内還気ＲＡが流通して排気ＥＡになる。また、第二通路３２０は、外気ＯＡが流通して給気ＳＡになる。
【００６６】
また、回転ロータ３４０（デシカントロータ）が、第一通路３１０および第二通路３２０を横断するよう装着されていて、モータ３７０により回転駆動する。また、回転ロータ３４０は、円板状に形成されると共にハニカム状に形成されて、厚さ方向に空気が通過可能となっている。ハニカム状に形成された回転ロータ３４０の表面には、吸着材４００が担持されている。
【００６７】
また、加熱器３５０が、第一通路３１０における回転ロータ３４０の上流側に設けられている。加熱器３５０は、室内５２から取り込んだ空気を加熱するためのものであって、固体酸化物型の燃料電池（ＳＯＦＣ）のモデルとして、電気ヒータが装着されている。加熱器３５０は、電気ヒータで室内５２から取り込んだ室内還気ＲＡを加熱するように構成されている。
【００６８】
室内還気ＲＡの温度は、熱電対で計測されている。また、相対湿度を湿度計で計測した後、温度と相対湿度から空気線図上で絶対湿度が決められる。このとき、除湿前後での絶対湿度差が除湿量となる。
【００６９】
［実験条件］
室内還気ＲＡを想定して、第一通路３１０に、気温２６℃、絶対湿度１０．５ｇ／ｋｇＤＡの空気を供給した。また、外気ＯＡを想定して、第二通路３２０に、気温３０℃、湿度１５ｇ／ｋｇＤＡの空気を供給した。第一通路３１０および第二通路３２０のそれぞれに供給した空気は、図示しない加湿槽およびヒータにおいて除湿、再生の空気条件を整えて、ブロワにより、室内還気ＲＡ入口４１および外気ＯＡ入口４２から供給した。また、外気ＯＡ入口４２からは風速２ｍ／ｓ一定、室内還気ＲＡ入口４１からは最大で風速２ｍ／ｓの空気を供給した。
【００７０】
運転モード：室内還気ＲＡの温度を維持したまま室内還気ＲＡの風量を調整した再生用空気温度維持モードと、室内還気ＲＡの風量を維持したまま室内還気ＲＡの温度を調整した再生用空気風量維持モードとの２種類のモードを実施した。
【００７１】
電気ヒータの熱量：熱量としては、１００％、７５％、５０％、２５％の４種類を対象とした。また、４種類の熱量のそれぞれに対してそれぞれ上記２種類のモードの試験を実施した。なお、熱量１００％とは、加熱器３５０の電気ヒータの熱量と、室内還気ＲＡの風速を一定（２ｍ／ｓ）としたときの室内還気ＲＡの温度を、吸着材４００の再生に必要な熱量に応じて設定される温度（７５℃）にするために必要な熱量とが同一になるときの状態を示す。他の３通りの熱量は、この１００％の熱量に対する割合として定義される。
【００７２】
回転ロータ３４０の回転数：２種類のモードについて、毎時５回転（ｒｐｈ）から毎時５０回転まで５回転きざみに設定した。
【００７３】
［実験方法］
測定手順：
（熱量１００％基準）
１．室内還気ＲＡ入口４１および外気ＯＡ入口４２から、上記実験条件の室内還気ＲＡおよび外気ＯＡを、それぞれ第一通路３１０および第二通路３２０に供給した。室内還気ＲＡの風速は、最大値である２ｍ／ｓとした。
２．電気ヒータにより加熱された室内還気ＲＡの温度が７５℃となるように、設定した。上記のように、そのときの電気ヒータの熱量を、熱量１００％とした。
３．電気ヒータで加熱した直後の室内還気ＲＡの温度を測定した。
４．回転ロータ３４０を、毎時５回転（ｒｐｈ）から毎時５０回転まで５回転刻みに変化させて、外気ＯＡの除湿量（ｇ／ｋｇＤＡ）を測定した。
【００７４】
（再生用空気温度維持モード）
上記「熱量１００％基準」の場合と同様に実験を行った。ただし、工程２．において、電気ヒータの温度は、熱量が上記１００％を基準として、７５％、５０％、２５％となるように変更した。また、工程３．において、室内還気ＲＡの温度を７５℃に維持できるように、室内還気ＲＡの風速を２ｍ／ｓから低下させる方向に変更した。変更後の風速の値は、図３中に表示している。
【００７５】
（再生用空気風量維持モード）
上記「熱量１００％基準」の場合と同様に実験を行った。ただし、工程２．において、電気ヒータの温度は、熱量が上記１００％を基準として、７５％、５０％、２５％となるように変更した。また、工程３．において、室内還気ＲＡの風速を２ｍ／ｓに維持できるように、室内還気ＲＡの温度を７５℃から低下させる方向に変更した。
【００７６】
［実験結果１］
図３において、横軸は回転ロータ３４０の回転数、縦軸は外気ＯＡの除湿量を示す。また、プロットした白抜きのデータは、再生用空気温度維持モードにおける外気ＯＡの除湿量であり、塗りつぶしのデータは、再生用空気風量維持モードにおける外気ＯＡの除湿量である。また、プロットした丸、四角、三角、菱型のデータは、それぞれ熱量１００％時、７５％時、５０％時、２５％時における外気ＯＡの除湿量である。また、Ａは、再生用空気温度維持モード、Ｂは、再生用空気風量維持モード、ＡおよびＢの右記の１００、７５、５０、２５は、熱量を示す。
【００７７】
また、熱量１００％時の、電気ヒータで加熱した直後の室内還気ＲＡの温度は、７５℃である。図中に表記した風速の数値は、それぞれの熱量％時を表している。
【００７８】
図３に示すように、熱量７５％時の除湿量は、熱量１００％時の除湿量に対して、Ａ７５の再生用空気温度維持モードの方が、Ｂ７５の再生用空気風量維持モードよりも除湿量の減少が少ない傾向である。また、熱量５０％時の除湿量も、Ａ５０の再生用空気温度維持モードの方が、Ｂ５０の再生用空気風量維持モードよりも除湿量の減少が少ない傾向であり、熱量７５％時と同様の傾向である。
【００７９】
実験結果１は、供給される熱量が１００％から低下した時に、再生用空気温度維持モードの方が、再生用空気風量維持モードよりも除湿量の減少が少ないという傾向を示している。また、その傾向となっている理由は、再生用空気の温度が高いほうが、除湿限界が下がり、除湿される外気ＯＡの状態が除湿限界に対して余裕のある状態となり、除湿の推進力が大きくなるためと推察される。
【００８０】
また、Ａ２５の再生用空気温度維持モードの場合、除湿能力が、Ａ７５の再生用空気温度維持モードの時、およびＡ５０の再生用空気温度維持モードの時に比べて著しく低下している要因は、吸着材４００が再生限界値に達しているためと推察される。
【００８１】
以上の結果から、再生用空気温度維持モードは、再生用空気風量維持モードに比べて、熱量が不足した場合において、外気ＯＡの除湿量の低下をより小さくすることができることが確認された。したがって、調湿装置３は、コジェネレーション装置２から供給される熱量が不足する場合において、空調能力の低下を抑制することができるため、安定した空調能力を得ることができる。
【００８２】
図３において、再生用空気温度維持モード、および再生用空気風量維持モードにおいて、熱量１００％時、７５％時、５０％時、２５％時における外気ＯＡの除湿量は、回転ロータ３４０の回転数に応じて、山なりに変化している。このことは、回転ロータ３４０の回転数を変化させることで、外気ＯＡの除湿量を最大にすることができることを示している。また、Ａ１００、Ａ７５、Ｂ７５、Ａ５０、Ｂ５０、Ａ２５の各条件のデータにおいて、外気ＯＡの除湿量の最大値は、熱量の値が小さくなるほど、最大の除湿量を与える回転ロータ３４０の回転数が小さくなる傾向である。
【００８３】
この傾向を明確に認識するため、図４に、図３の再生用空気温度維持モードにおける各データ中のピークを表すプロット点を抜き出している。
【００８４】
［実験結果２］
図４において、横軸は室内還気ＲＡの風速、縦軸は外気ＯＡの除湿量が最大になる回転ロータ３４０の最適ロータ回転数を示す。プロットした丸白抜きのデータは、再生用空気温度維持モードの熱量１００％時、熱量７５％時、熱量５０％時、熱量２５％時において最大の除湿量になるときの回転ロータ３４０の回転数、および室内還気ＲＡの風速を示していて、図３の各データ中のピークを表すプロット点を抜き出している。図中のＡ１００、Ａ７５、Ａ５０、およびＡ２５は、実験結果１と対応している。
【００８５】
図４によると、再生用空気温度維持モードにおいて最大の除湿量となる条件は、室内還気ＲＡの風速が小さくなるほど、回転ロータ３４０の最適ロータ回転数も小さくなる傾向である。
【００８６】
しかも、再生用空気の除湿量が最大となるときの最適な回転ロータ３４０の回転数は、室内還気ＲＡの風速に対して比例の関係を示していることが分かる。また、図中の点線は、各データをプロットした後、回転ロータ３４０の回転数を、室内還気ＲＡの風速の関数として一次近似したものであるが、データ点が非常によく再現されており、除湿量最大となる回転ロータ３４０の回転数と室内還気ＲＡの間に、明確な比例関係が存在することが確認される。この比例関係を利用して、室内還気ＲＡの変化する風速に対して外気ＯＡの除湿量が最大となるように、最適な回転ロータ３４０の回転数を設定できる。
【００８７】
以上、本発明の実施形態および実施例について詳細に説明したが、本発明は上記実施形態および実施例に限定されるものではなく、本発明の要旨を逸脱しない範囲で種々の改変が可能である。例えば、熱源であるコジェネレーション装置に使用されている燃料電池は、ＳＯＦＣ以外にも各種燃料電池が採用できる。また、コジェネレーション装置は、内燃機関を活用したコジェネレーション装置、ボイラ＆蒸気タービンを活用したコジェネレーション装置も採用できる。さらに、熱源の形態は、熱を発生する形態であれば、コジェネレーション装置以外のどのような構成でもよい。また、吸着材の形態は、水分を可逆的に吸着可能な形態であれば、回転ロータ型以外のどのような構成でもよい。
【符号の説明】
【００８８】
１    調湿システム
２    コジェネレーション装置（熱源）
３    調湿装置
３４  回転ロータ（ロータ）
４０  吸着材
５１  室外（第一の空間）
５２  室内（第二の空間）
ＯＡ  外気（第一の空間から取り込んだ空気）
ＲＡ  室内還気（第二の空間から取り込んだ空気）
３０    実験装置（調湿装置）
３４０  回転ロータ（ロータ）
４００  吸着材
【図１】
2018155454.tif 000003
【図２】
2018155454.tif 000004
【図３】
2018155454.tif 000005
【図４】
2018155454.tif 000006